(57)【要約】【課題】低消費電力で小型化および軽量化され、正確な時刻情報を取得する受信装置を提供する。【解決手段】電波時計１は、時刻情報が変調され、一方および他方の周波数で送信された時刻信号を含む受信信号が入力され、前記受信信号と所定の第１の局発周波数を有する第１の局部発振信号とを混合して、前記一方の周波数の時刻信号を、一方の第１中間周波信号に変換するか、または、前記他方の周波数の時刻信号を、他方の第１中間周波信号に変換し、前記２つの第１中間周波信号の周波数の差分または合計分を第２の局発周波数とする第２の局部発振信号を生成し、前記他方の第１中間周波信号と前記第２の局部発振信号とを混合し、前記他方の第１中間周波信号を第２中間周波信号に変換することで得られる２つの中間周波信号のうち、主に前記一方の周波数に応じた第１中間周波信号を用いて、第１中間周波信号を復調することで、前記時刻情報を取り出し出力する。【選択図】図１
2008116230.tif 000002
【特許請求の範囲】
【請求項１】
時刻情報が変調され、少なくとも２つの周波数で送信された時刻信号であって、前記時刻信号を含む受信信号が入力される入力手段と、
前記時刻信号の周波数に応じた第１の局発周波数を有する第１の局部発振信号を生成する第１の局部発振信号生成手段と、
前記受信信号と前記第１の局部発振信号とを混合することにより、前記時刻信号が送信された周波数のうち、一方の周波数の時刻信号を、当該一方の周波数と前記第１の局発周波数との差分を周波数とする一方の第１中間周波信号に変換し、他方の周波数の時刻信号を、当該他方の周波数と前記第１の局発周波数との差分を周波数とする他方の第１中間周波信号に変換する第１の変換手段と、
前記２つの第１中間周波信号の周波数の差分または合計分を第２の局発周波数とする第２の局部発振信号を生成する第２の局部発振信号生成手段と、
前記他方の第１中間周波信号と前記第２の局部発振信号とを混合することにより、前記他方の第１中間周波信号を、前記一方の第１中間周波信号と同一の周波数を有する第２中間周波信号に変換する第２の変換手段と、
前記一方の周波数および前記他方の周波数の何れか１つが指示される指示手段と、
前記一方の第１中間周波信号および前記第２中間周波信号のうち、前記指示された周波数に応じた何れかの信号が選択される選択手段と、
前記選択された信号を復調することにより、前記時刻情報を取り出す復調手段と、
前記取り出された時刻情報を出力する出力手段とを備え、
前記指示手段は、前記一方の周波数を主として指示することを特徴とする受信装置。
【請求項２】
請求項１に記載された受信装置において、
前記第１の変換手段で変換された前記２つの第１中間周波信号の周波数帯域と、前記第２の変換手段で変換された前記第２中間周波信号の周波数帯域とを含む帯域をフィルタリングするバンドパスフィルタをそれぞれ更に備えることを特徴とする受信装置。
【請求項３】
請求項１乃至２のいずれかに記載の受信装置において、
前記一方の周波数と前記第１の局発周波数との差分値は、１０ＭＨｚ以下であることを特徴とする受信装置。
【請求項４】
請求項１乃至３のいずれか１項に記載の受信装置において、
前記出力手段は、前記時刻情報を表示して出力することを特徴とする受信装置。
【請求項５】
請求項１乃至４のいずれか１項に記載の受信装置において、
前記時刻信号が送信される周波数と、前記第１の局発周波数と、前記第２の局発周波数との関係が、
ａ＜α＜ｂの場合、
ａ＋ｂ＝２×α−β    または    ｂ−ａ＝β      
ａ，ｂ：時刻信号が送信される周波数
α：第１の局発周波数
β：第２の局発周波数
で示されることを特徴とする受信装置。
【請求項６】
時刻情報を含む電波を受信して時刻を表示する電波時計であって、
請求項１乃至５のいずれか１項に記載の受信装置を備えていることを特徴とする電波時計。
【発明の詳細な説明】
【技術分野】
【０００１】
本発明は、時刻情報を受信する受信装置および電波時計に関する。
【背景技術】
【０００２】
電子時計や携帯情報端末のように、正確な時刻を必要とする受信装置が、時刻情報を取得する方法として、下記特許文献１に記載されているように、地上基地局から送信される長波帯域の２つの標準電波を１つの局部発振信号で受信する方法が知られている。更に、近年では、下記特許文献２に記載されているように、移動通信を目的として、ＣＤＭＡ（Ｃｏｄｅ  Ｄｉｖｉｓｉｏｎ  Ｍｕｌｔｉｐｌｅ  Ａｃｃｅｓｓ）変調されて送信される極超短波帯域の電波に含まれる時刻情報を受信して、正確な時刻を取得する装置が提案されている。このような極超短波帯域の電波は、種々の中継局から遍く中継されるため、長波帯域の標準電波やＧＰＳ（Ｇｌｏｂａｌ  Ｐｏｓｉｔｉｏｎｉｎｇ  Ｓｙｓｔｅｍ）衛星からの電波と比較して、建物の中や地下のような様々な移動先においても、良好に受信できることが知られている。
【０００３】
【特許文献１】特開２００４−８８３４１号公報
【特許文献２】特開２００３−１６９３７６号公報
【発明の開示】
【発明が解決しようとする課題】
【０００４】
上記した極超短波帯域の電波に含まれる時刻情報は、異なる２つの周波数で送信されており、受信状況等に応じて受信する周波数を受信側で切替えるべく、それぞれの送信周波数に対応する２つの局部発振信号を生成し、受信する周波数に応じて何れか１つを選択する必要があった。しかしながら、局部発振信号は、極超短波帯域の電波に対応することから、周波数が高くなることに加え、それぞれの周波数を所定の周波数に精度良く同調させる必要があった。従って、受信機は、２つの局部発振信号を精度良く生成すると共に、これらを切替えて使用するため、受信機の構成が複雑になると共に、受信時における消費電力が増大した。また、長波帯域の標準電波を１つの局部発振信号で受信する方法では、局部発振のための新たな逓倍回路が必要になるため、小型化および軽量化が困難であった。
【課題を解決するための手段】
【０００５】
上記した課題を解決するために、本発明の受信装置は、時刻情報が変調され、少なくとも２つの周波数で送信された時刻信号であって、前記時刻信号を含む受信信号が入力される入力手段と、前記時刻信号の周波数に応じた第１の局発周波数を有する第１の局部発振信号を生成する第１の局部発振信号生成手段と、前記受信信号と前記第１の局部発振信号とを混合することにより、前記時刻信号が送信された周波数のうち、一方の周波数の時刻信号を、当該一方の周波数と前記第１の局発周波数との差分を周波数とする一方の第１中間周波信号に変換し、他方の周波数の時刻信号を、当該他方の周波数と前記第１の局発周波数との差分を周波数とする他方の第１中間周波信号に変換する第１の変換手段と、前記２つの第１中間周波信号の周波数の差分または合計分を第２の局発周波数とする第２の局部発振信号を生成する第２の局部発振信号生成手段と、前記他方の第１中間周波信号と前記第２の局部発振信号とを混合することにより、前記他方の第１中間周波信号を、前記一方の第１中間周波信号と同一の周波数を有する第２中間周波信号に変換する第２の変換手段と、前記一方の周波数および前記他方の周波数の何れか１つが指示される指示手段と、前記一方の第１中間周波信号および前記第２中間周波信号のうち、前記指示された周波数に応じた何れかの信号が選択される選択手段と、前記選択された信号を復調することにより、前記時刻情報を取り出す復調手段と、前記取り出された時刻情報を出力する出力手段とを備え、前記指示手段は、前記一方の周波数を主として指示することを特徴とする。
【０００６】
この発明によれば、時刻情報が変調され、一方の周波数および他方の周波数でそれぞれ送信された時刻信号を含む受信信号に対して、これらの周波数に応じた第１の局発周波数を有する第１の局部発振信号が生成され、前記受信信号と混合されることにより、一方の周波数の時刻信号は、一方の周波数と第１の局発周波数との差分を周波数とする一方の第１中間周波信号に変換され、他方の周波数の時刻信号は、他方の周波数と第１の局発周波数との差分を周波数とする他方の第１中間周波信号に変換される。更に、他方の第１中間周波信号は、２つの第１中間周波信号の周波数の差分または合計分を第２の局発周波数とする第２の局部発振信号と混合されることにより、一方の第１中間周波信号と同一の周波数を有する第２中間周波信号に変換される。ここで、一方の周波数および他方の周波数の何れかが指示され、指示された周波数に応じて、一方の第１中間周波信号および第２中間周波信号の何れかが選択され、選択された信号が復調されて時刻情報が出力される。従って、第１の局発周波数および第２の局発周波数は、何れも１つの単一周波数であって、周波数の切替えが不要であると共に、極超短波帯である第１の局部発振信号は１波のみであるため、受信装置の構成が容易になると共に、受信装置の小型化や軽量化が図れる。更に、一方の周波数が主に指示されることから、この周波数の信号を含む第１中間周波信号が主に復調されるため、第２の局部発振信号の生成および第２中間周波信号への変換を行う機会が少ないことから、当該部分への電源供給の機会が少なくなり、受信装置の消費電力を低減できる。
【０００７】
本発明の受信装置では、前記第１の変換手段で変換された前記２つの第１中間周波信号の周波数帯域と、前記第２の変換手段で変換された前記第２中間周波信号の周波数帯域とを含む帯域をフィルタリングするバンドパスフィルタをそれぞれ更に備えることが好ましい。
この発明によれば、バンドパスフィルタは、２つの第１中間周波信号の周波数帯域と、第２中間周波信号の周波数帯域とを含む帯域をフィルタリングするため、受信装置で使用するバンドパスフィルタを共通化できる。
【０００８】
本発明の受信装置では、前記一方の周波数と前記第１の局発周波数との差分値は、１０ＭＨｚ以下であることが好ましい。
この発明によれば、一方の第１中間周波信号および前記第２中間周波信号の何れも１０ＭＨｚ以下であるため、それぞれの中間周波信号は、安定して高利得を得ることができる。また、復調部の低消費電力化が可能となる。
【０００９】
本発明の受信装置では、前記出力手段は、前記時刻情報を表示して出力しても良い。また、本発明の受信装置では、前記時刻信号が送信される周波数と、前記第１の局発周波数と、前記第２の局発周波数との関係が、
ａ＜α＜ｂの場合、
ａ＋ｂ＝２×α−β    または    ｂ−ａ＝β
ａ，ｂ：時刻信号が送信される周波数
α：第１の局発周波数
β：第２の局発周波数
で示されても良い。
この発明によれば、時刻信号が送信される周波数が２つある場合に、第１の局発周波数と第２の局発周波数とを組み合わせることにより、中間周波数を同一にできる。
【００１０】
そして、前述の受信装置を電波時計に適用することにより、低消費電力で小型化および軽量化された電波時計を提供できる。
【発明を実施するための最良の形態】
【００１１】
以下、本発明の実施の形態について、時刻情報を含む電波を受信して時刻を表示する電波時計を用いて説明する。
【００１２】
（実施形態１）
図１は、本発明の実施形態１に係る電波時計１の機能構成を示すブロック図である。この電波時計１は、ＣＤＭＡ変調されて送信される極超短波帯域の電波に含まれる時刻情報を受信して、時刻情報が有する正確な時刻を表示する。この電波時計１は、入力手段１０と、高周波増幅手段１２と、第１ミキサ１４と、第１局部発振信号生成手段１６と、周波数指示手段１８と、周波数選択手段２０と、１３ＭＨｚバンドパスフィルタ２２と、第２ミキサ２４と、第２局部発振信号生成手段２６と、４ＭＨｚバンドパスフィルタ２８と、ＣＤＭＡ信号復調手段３０と、時刻情報出力手段３２と、取得した時刻情報を表示するディスプレイ３４とを有する。これらの各機能部は、図示は略すが、電気回路で実現させても良く、また、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）等で構成され、これらのハードウェアとソフトウェアとを協働させて実現しても良い。また、この電波時計１は、各機能部に電源を供給するための電源供給手段３６を有する。
【００１３】
入力手段１０は、時刻情報が変調され、一方の周波数および他方の周波数でそれぞれ送信された時刻信号を含む受信信号が入力される。本実施形態１では、受信信号は、高周波のＲＦ（Ｒａｄｉｏ  Ｆｒｅｑｕｅｎｃｙ）信号であり、空中に放射された電波を受信するアンテナ１１を介して入力される。この電波は、携帯電話のような移動通信を目的として、ＣＤＭＡ変調されて送信される極超短波帯域の電波であり、例えば、８４４ＭＨｚと８６１ＭＨｚの２つの周波数では、時刻を示す時刻情報の信号が、帯域幅１．２３ＭＨｚで送信される。本実施形態では、８６１ＭＨｚを一方の周波数とし、８４４ＭＨｚを他方の周波数とする。尚、ＣＤＭＡ変調とは、狭帯域の変調波を拡散符号によって再度変調し、受信側で通信チャネルごとに異なる拡散符号を割り当てることで多チャネルでの通信を可能にする変調方式であるが、本発明は、ＣＤＭＡ変調に限定されるものでは無く、他の変調方式であっても良い。
【００１４】
高周波増幅手段１２は、入力手段１０に入力された受信信号を増幅して、第１ミキサ１４に出力する。
【００１５】
第１局部発振信号生成手段１６は、時刻信号の周波数に応じた第１の局発周波数を有する第１の局部発振信号を生成する。本実施形態１では、第１の局発周波数は、前記した２つの周波数（８４４ＭＨｚ，８６１ＭＨｚ）の低い側（８４４ＭＨｚ）よりも高く、かつ高い側（８６１ＭＨｚ）よりも低い周波数であって、一方の周波数（８６１ＭＨｚ）との差分値が、１０ＭＨｚ以下である周波数として８５７ＭＨｚを採用する。この第１局部発振信号生成手段１６は、図示は略すが、ＰＬＬ方式の発振回路を有し、生成される局部発振信号の周波数（局発周波数）が、８５７ＭＨｚになるように制御される。ここで生成された第１の局部発振信号は、第１ミキサ１４に送られる。
【００１６】
第１ミキサ１４は、受信信号と第１の局部発振信号とを、混合することにより、受信信号を、これらの２つの信号の周波数の差分の周波数の信号（中間周波信号）に変換する機能を有する。本実施形態１では、一方の周波数（８６１ＭＨｚ）の時刻信号を、一方の周波数（８６１ＭＨｚ）と第１の局発周波数（８５７ＭＨｚ）との差分、即ち、４ＭＨｚを周波数（中間周波数）とする一方の第１中間周波信号に変換し、他方の周波数（８４４ＭＨｚ）の時刻信号を、他方の周波数と第１の局発周波数（８５７ＭＨｚ）との差分、即ち、１３ＭＨｚを周波数（中間周波数）とする他方の第１中間周波信号に変換する。ここで変換された２つの第１中間周波信号は、周波数選択手段２０に送られる。
【００１７】
周波数指示手段１８は、一方の周波数（８６１ＭＨｚ）および他方の周波数（８４４ＭＨｚ）の何れか１つが指示される。尚、この周波数指示手段１８は、一方の周波数（８６１ＭＨｚ）を主として指示するように構成されている。従って、他方の周波数（８４４ＭＨｚ）は、一方の周波数（８６１ＭＨｚ）の電波の受信状態が悪化した場合等に限って指示され、通常は指示されない。この周波数指示手段１８で指示された情報は、周波数選択手段２０に送られる。
【００１８】
周波数選択手段２０は、一方の第１中間周波信号および第２中間周波信号のうち、周波数指示手段１８で指示された周波数に応じた信号が選択される。ここで、周波数指示手段１８で一方の周波数（８６１ＭＨｚ）が選択された場合、この周波数に対応した一方の第１中間周波信号が選択され、第１ミキサ１４から出力された信号は、後段の４ＭＨｚバンドパスフィルタ２８に送られる。尚、第１ミキサ１４から出力された信号には、一方の第１中間周波信号と他方の第１中間周波信号とがそれぞれ含まれるが、一方の第１中間周波信号は、中間周波数が４ＭＨｚであるため、４ＭＨｚバンドパスフィルタ２８を通過できるのに対して、他方の第１中間周波信号は、中間周波数が１３ＭＨｚであるため、４ＭＨｚバンドパスフィルタ２８でフィルタリングされる。４ＭＨｚバンドパスフィルタ２８を通過した一方の第１中間周波信号は、ＣＤＭＡ信号復調手段３０に送られる。
【００１９】
他方で、周波数指示手段１８で他方の周波数（８４４ＭＨｚ）が選択された場合、この周波数に対応した他方の第１中間周波信号が選択され、第１ミキサ１４から出力された信号は、１３ＭＨｚバンドパスフィルタに入力される。この場合も、第１ミキサ１４から出力された信号には、一方の第１中間周波信号と他方の第１中間周波信号とがそれぞれ含まれるが、他方の第１中間周波信号は、中間周波数が１３ＭＨｚであるため、１３ＭＨｚバンドパスフィルタ２２を通過できるのに対して、一方の第１中間周波信号は、中間周波数が４ＭＨｚであるため、１３ＭＨｚバンドパスフィルタ２２でフィルタリングされる。１３ＭＨｚバンドパスフィルタ２２を通過した他方の第１中間周波信号は、第２ミキサ２４に送られる。
第２局部発振信号生成手段２６は、２つの第１中間周波信号の周波数の差分、即ち、９ＭＨｚを第２の局発周波数とする第２の局部発振信号を生成する。ここで生成された第２の局部発振信号は、第２ミキサ２４に送られる。
【００２０】
第２ミキサ２４は、前記した第１ミキサ１４と同様な機能を有し、他方の第１中間周波信号と第２の局部発振信号とを混合することにより、他方の第１中間周波信号を、一方の第１中間周波信号と同一の周波数（４ＭＨｚ）を有する第２中間周波信号に変換する。ここで変換された第２中間周波信号は、４ＭＨｚバンドパスフィルタ２８を通過して、ＣＤＭＡ信号復調手段３０に送られる。
尚、本実施形態１では、時刻信号が送信される周波数（８４４ＭＨｚ，８６１ＭＨｚ）と、第１の局発周波数（８５７ＭＨｚ）と、第２の局発周波数（９ＭＨｚ）との関係が、以下の式（１）を満たすように、それぞれの局発周波数が決定される。
ａ＋ｂ＝２×α−β・・・・（１）
ａ，ｂ：時刻信号が送信される周波数（８４４ＭＨｚ，８６１ＭＨｚ）
α：第１の局発周波数（８５７ＭＨｚ）
β：第２の局発周波数（９ＭＨｚ）
この結果、周波数指示手段１８で指示された周波数が、一方の周波数（８６１ＭＨｚ）および他方の周波数（８４４ＭＨｚ）の何れの場合でも、ＣＤＭＡ信号復調手段３０に入力される時刻信号の周波数は、一方の第１中間周波信号の中間周波数（４ＭＨｚ）になる。
【００２１】
ＣＤＭＡ信号復調手段３０は、ＣＤＭＡ変調された中間周波数の信号を復調して、時刻情報を取り出し、時刻情報出力手段３２に送る。時刻情報出力手段３２は、時刻情報を表示信号に変換して、ディスプレイ３４に表示する。尚、時刻情報は、表示に限定されるものでは無く、音声出力されても良い。また、時刻情報出力手段３２は、時刻情報を所定の信号に変換して、通信可能に接続された他の情報機器装置等に送信しても良い。
電源供給手段３６は、上記した各機能部の中で、電源を必要とする機能部に対して、それぞれ必要な電源を供給する。尚、本実施形態１では、周波数選択手段２０で選択された信号に応じて、第２ミキサ２４および第２局部発振信号生成手段２６への電源の供給を断続するスイッチ３８が具備され、一方の周波数（８６１ＭＨｚ）が指示される場合には、第２ミキサ２４および第２局部発振信号生成手段２６に対して電源が供給されないように構成されている。
【００２２】
図２は、電波時計１が時刻情報を含む電波を受信して、時刻を表示する処理を説明するフローチャートであり、このフローチャートに従い、電波時計１の受信処理を説明する。
この受信処理が開始されると、ステップＳ１００において、時刻情報がＣＤＭＡ変調され、一方の周波数（８６１ＭＨｚ）および他方の周波数（８４４ＭＨｚ）の２つの周波数で送信された時刻情報を含む受信信号が電波時計１に入力される。
次に、ステップＳ１０２において、電波時計１は、８５７ＭＨｚを第１の局発周波数とする第１の局部発振信号を生成する。
続いて、ステップＳ１０４において、電波時計１は、２つの周波数（８４４ＭＨｚ，８６１ＭＨｚ）で送信された時刻信号を、それぞれ１３ＭＨｚと４ＭＨｚを中間周波数とする第１中間周波信号に変換する。
【００２３】
次に、ステップＳ１０６において、受信すべき周波数が指示される。ここで、受信すべき周波数が、通常時に選択される一方の周波数（８６１ＭＨｚ）である場合（ステップＳ１０６で８６１ＭＨｚ）、ステップＳ１１２に進む。
他方で、受信すべき周波数が、非通常時に選択される他方の周波数（８４４ＭＨｚ）である場合（ステップＳ１０６で８４４ＭＨｚ）、ステップＳ１０８に進み、電波時計１は、９ＭＨｚを第２の局発周波数とする第２の局部発振信号を生成する。
続いて、ステップＳ１１０において、電波時計１は、１３ＭＨｚの第１中間周波信号を、４ＭＨｚの第２中間周波信号に変換し、ステップＳ１１２に進む。
【００２４】
次に、ステップＳ１１２において、電波時計１は、４ＭＨｚの第１中間周波信号または４ＭＨｚの第２中間周波信号のうち、受信すべき周波数に応じた中間周波信号をＣＤＭＡ復調することにより、時刻情報を取り出す。
続いて、ステップＳ１１４において、電波時計１は、時刻情報を表示することにより、ユーザは、現在の正確な時刻を知ることができる。
【００２５】
以上述べた実施形態１によれば、以下のような効果を奏する。
（１）時刻信号が送信される２つの周波数（８４４ＭＨｚ，８６１ＭＨｚ）の中から、受信する周波数を選択できるため、電波状況に応じて周波数を切替えることで、時刻情報を安定して取得できる。そのための、第１の局発周波数および第２の局発周波数は、何れも１つの単一周波数であって、周波数の切替えが不要であると共に、極超短波帯である第１の局部発振信号は１波のみであるため、受信装置の構成が容易になると共に、受信装置の小型化や軽量化が図れる。また、主に８６１ＭＨｚが指示されるため、低消費電力化が可能となる。
【００２６】
（実施形態２）
次に、本発明の実施形態２について、図３を参照して説明する。尚、以下の説明では、既に説明した部分と同じ部分については、同一符号を付してその説明を省略する。
【００２７】
図３は、本発明の実施形態２に係る電波時計１の機能構成を示すブロック図である。前記の実施形態１では、第１の局発周波数と第２の局発周波数は、それぞれ８５７ＭＨｚと９ＭＨｚであったが、本実施形態２では、第１の局発周波数と第２の局発周波数は、それぞれ８５３．５ＭＨｚと２ＭＨｚを採用する。また、前記の実施形態１では、バンドパスフィルタとして、１３ＭＨｚバンドパスフィルタ２２と４ＭＨｚバンドパスフィルタ２８を具備したが、本実施形態２の電波時計１は、２つの広帯域バンドパスフィルタ（４０Ａ，４０Ｂ）を具備する。より詳細には、広帯域バンドパスフィルタ（４０Ａ，４０Ｂ）は、それぞれ６．８ＭＨｚから１０．２ＭＨｚの周波数帯域のみを通過させる機能を有し、一方の広帯域バンドパスフィルタ４０Ａは、第１ミキサ１４の後段に配置され、他方の広帯域バンドパスフィルタ４０Ｂは、第２ミキサ２４の後段に配置される。
【００２８】
ここで、図４（ａ）は、一方の広帯域バンドパスフィルタ４０Ａの帯域特性を説明し、図４（ｂ）は、他方の広帯域バンドパスフィルタ４０Ｂの帯域特性を説明する図である。図４（ａ）に示すように、一方の広帯域バンドパスフィルタ４０Ａには、７．５ＭＨｚと９．５ＭＨｚとを中間周波数とする２つの第１中間周波信号が入力される。これらの第１中間周波信号は、周波数帯域が共に１．２３ＭＨｚであるため、２つの第１中間周波信号は、これらの周波数帯域を含め、広帯域バンドパスフィルタ４０Ａでフィルタリングされることなく通過する。また、図４（ｂ）に示すように、他方の広帯域バンドパスフィルタ４０Ｂには、７．５ＭＨｚを中間周波数とする第２中間周波信号が入力される。この第２中間周波信号は、周波数帯域が１．２３ＭＨｚであるため、周波数帯域を含め、広帯域バンドパスフィルタ４０Ｂでフィルタリングされることなく通過する。
【００２９】
このような実施形態２によれば、実施形態１の（１）の効果に加えて、以下のような効果を奏することができる。
（２）広帯域バンドパスフィルタ（４０Ａ，４０Ｂ）は同一の特性であるため、電波時計１で用いるバンドパスフィルタを共通化することで、電波時計１の製作コストを低減できる。
【００３０】
以上、本発明を図示した実施形態に基づいて説明したが、本発明は、本実施形態に限定されるものではなく、以下に述べるような変形例も想定できる。
（１）上記した各実施形態では、第２局部発振信号生成手段２６は、２つの第１中間周波信号の周波数の差分、即ち、９ＭＨｚを第２の局発周波数とする第２の局部発振信号を生成したが、合計分、即ち、１７ＭＨｚを第２の局発周波数とする第２の局部発振信号を生成しても良い。  
（２）上記した各実施形態は、電波時計１への適用を想定したが、本発明の受信装置は、これに限るものではなく、情報を処理するために正確な時刻情報が必要な情報処理装置等に適用できる。
（３）周波数帯域は、８００ＭＨｚ帯に限定されるものでは無く、ＧＨｚ帯域であっても良い。また、送信される周波数の波数は、３つ以上であっても良く、ミキサと局部発振手段が更に多段に付加された構成であっても良い。
【図面の簡単な説明】
【００３１】
【図１】実施形態１に係る電波時計の機能構成を示すブロック図。
【図２】電波時計が時刻情報を含む電波を受信して、時刻を表示する処理を説明するフローチャート。
【図３】実施形態２に係る電波時計の機能構成を示すブロック図。
【図４】（ａ）は一方のバンドパスフィルタの帯域特性を説明し、（ｂ）は他方のバンドパスフィルタの帯域特性を説明する図。
【符号の説明】
【００３２】
１…電波時計、１０…入力手段、１１…アンテナ、１２…高周波増幅手段、１４…第１ミキサ、１６…第１局部発振信号生成手段、１８…周波数指示手段、２０…周波数選択手段、２２…１３ＭＨｚバンドパスフィルタ、２４…第２ミキサ、２６…第２局部発振信号生成手段、２８…４ＭＨｚバンドパスフィルタ、３０…ＣＤＭＡ信号復調手段、３２…時刻情報出力手段、３４…ディスプレイ、３６…電源供給手段、３８…スイッチ、４０Ａ，４０Ｂ…広帯域バンドパスフィルタ。
【図１】
2008116230.tif 000003
【図２】
2008116230.tif 000004
【図３】
2008116230.tif 000005
【図４】
2008116230.tif 000006